(57)【要約】【課題】枠組壁工法中の壁パネルの鉛直出しに要する時間の短縮、並びに家屋の強度計算の容易化を図ることにある。【解決手段】家屋外周用の壁パネル１をその下の固定部材９，１７に釘付けして室内全体空間２を平面視矩形又は縦横に交差する形状にし、室内全体空間を、大まかな間取りとなる複数の平面視矩形の大部屋３に分けることを前提として、大部屋を分ける位置に沿って間仕切り用の壁パネル４をその下の固定部材に釘付けし、各大部屋３の四隅について壁パネルを鉛直に保持し、各大部屋の形状に一致する設計寸法通りの床パネルを四隅を合わせて壁パネルの上に載せ、四隅を合わせた状態を維持しながら床パネル１７の周囲に壁パネルを沿わせて釘付けして、床パネル周囲の壁パネルの鉛直出しを行う枠組壁工法用壁パネルの鉛直出し方法。床パネルの代わりに小屋組２４を支える支持枠２２を用いてもよい。【選択図】      図１
2007132096.tif 000002
【特許請求の範囲】
【請求項１】
家屋外周用の壁パネル（１）をその下の固定部材（９，１７）に釘付けすることによって室内全体空間（２）を平面視して矩形、又は縦横に交差する形状に形成し、室内全体空間（２）を、大まかな間取りとなる複数の平面視矩形の大部屋（３）に分けることを前提として、大部屋（３）を分ける位置に沿って間仕切り用の壁パネル（４）をその下の固定部材（９，１７）に釘付けし、各大部屋（３）の四隅について壁パネル（１，４）を鉛直に保持し、壁パネル（１，４）の上に、各大部屋（３）の形状に一致する設計寸法通りの床パネル（１７）を四隅を合わせて載せ、四隅を合わせた状態を維持しながら床パネル（１７）の周囲に壁パネル（１，４）を沿わせて釘付けすることによって、床パネル周囲の壁パネルの鉛直出しを行うことを特徴とする枠組壁工法用壁パネルの鉛直出し方法。
【請求項２】
請求項１記載の枠組壁工法用壁パネルの鉛直出し方法において、
室内全体空間（２）を平面視して矩形に形成すると共に、室内全体空間（２）を矩形の大部屋（３）に二等分する位置に沿って間仕切り用の壁パネル（４）を、その下の固定部材（９，１７）に釘付けすることを特徴とする枠組壁工法用壁パネルの鉛直出し方法。
【請求項３】
床パネル（１７）の代わりに、小屋組（２４）を支える支持枠（２２）を用いることを特徴とする請求項１又は２記載の枠組壁工法用壁パネルの鉛直出し方法。
【発明の詳細な説明】
【技術分野】
【０００１】
本発明は、枠組壁工法で用いる壁パネルを鉛直に立てる方法に関する。
【背景技術】
【０００２】
枠組壁工法で壁パネル９１を鉛直に立てる方法としては、従来、図７に示すように土台９２の上に壁パネル９１の下部を釘付けし、そのままでは壁パネル９１が鉛直に対して所定角度α傾くことから、壁パネル９１の内側に筋交９３を斜めに釘付けすることによって、壁パネル９１を鉛直に立てていた。そして、図示しないが鉛直に保たれた壁パネルの上に、壁パネルと同等の寸法の床パネルを多数枚釘付けして床を構築していた。この鉛直出しの仕方は、壁パネル一枚毎に、しかも１階だけでなく、２階についても同様に行われ、図８に示すように、２階の壁パネル９１の上側に垂木９４が組まれ、逆Ｖ字状の垂木間に梁９５を架設していた。
【０００３】
また、壁パネル９１の鉛直出しは図９に示すように、家屋の周囲を形作る部分だけでなく、家屋内を洋室、ＬＤＫ、トイレ、バス、洗面所等の間取り通りに区画する部分についても、同様に行われていた。
【発明の開示】
【発明が解決しようとする課題】
【０００４】
上述したように一戸建てには壁パネルを多数用いることから、鉛直出しに要する時間が長くなる。そして、枠組壁工法は、壁パネルの上に床組や小屋組みし、その後に屋根を作るので、壁パネルの鉛直出しに時間がかかれば、その分だけ屋根の完成が遅れ、風雨に晒される確率が高くなり、この風雨による湿気が土台等に悪影響を与え、家屋の耐用年数を短くする要因となる。その上、鉛直出しの済んだ壁パネルの上に床組や小屋組みした後には筋交を外さなければならず、本来的には不要なものを取り付けて外す作業は、施工期間を長くする要因でもある。
【０００５】
さらに、家屋の強度は、全ての壁パネルを考慮して計算されるので、間取り通りに壁パネルを立てることは、家屋の強度計算を複雑化している。
【０００６】
本発明は上記実情を考慮して創作されたもので、その目的とするところは、壁パネルの鉛直出しに要する時間の短縮を図り、その上、設計時の家屋の強度計算の容易化を図ることにある。
【課題を解決するための手段】
【０００７】
本発明のうち請求項１の発明は、家屋外周用の壁パネルをその下の固定部材に釘付けすることによって室内全体空間を平面視して矩形、又は縦横に交差する形状に形成し、室内全体空間を、大まかな間取りとなる複数の平面視矩形の大部屋に分けることを前提として、大部屋を分ける位置に沿って間仕切り用の壁パネルをその下の固定部材に釘付けし、各大部屋の四隅について壁パネルを鉛直に保持し、壁パネルの上に、各大部屋の形状に一致する設計寸法通りの床パネルを四隅を合わせて載せ、四隅を合わせた状態を維持しながら床パネルの周囲に壁パネルを沿わせて釘付けすることによって、床パネル周囲の壁パネルの鉛直出しを行うことを特徴とする枠組壁工法用壁パネルの鉛直出し方法である。
【０００８】
固定部材は、１階であれば基礎上の土台となる横木を想定し、２階であれば床パネルを想定したものである。
【０００９】
家屋の施工期間のさらなる短縮と、家屋の強度計算のさらなる容易化を図るには、請求項２の発明のように、室内全体空間を平面視して矩形に形成すると共に、室内全体空間を矩形の大部屋に二等分する位置に沿って間仕切り用の壁パネルを、その下の固定部材に釘付けすることが望ましい。
【００１０】
壁パネルの上に屋根を構築する場合であれば、請求項３の発明のように、床パネルの代わりに、小屋組を支える支持枠を用いてもよい。支持枠を用いた場合には、小屋組中の作業者が落下した場合に、支持枠の補強材に引っかかる可能性もあり、安全面も向上する。また、支持枠の上に仮設合板を載せることにより、仮設合板を足場とすることができ、一段と安全性を向上できる。
【発明の効果】
【００１１】
本発明は、室内全体空間を平面視して矩形、又は縦横に交差する形状にすることによって、形状の容易化を図っている。また、室内全体空間を実際の間取りよりも大まかな間取りとなる複数の大部屋に区画するので、壁パネルを配置するのは、室内全体空間の外周位置と、複数の大部屋を分ける位置だけでよく、壁パネルの枚数が従来よりも少なくて済み、しかも、各壁パネルについて筋交等を利用せずとも、大部屋の四隅に相当する箇所のみ壁パネルの鉛直を保持し、大部屋の形状に一致する床パネルを規準として壁パネルを沿わせて釘付けするだけで、多数枚の壁パネルの鉛直が一挙に確保されることから、壁パネルの鉛直出しに要する時間が大幅に短縮する。従って、屋根完成までの施工期間の短縮、ひいては、家屋の耐用年数の長期化を図ることができる。さらに、壁パネルを配置するのは、室内全体空間の外周位置と、複数の大部屋を分ける位置だけでよいことから、外周用と間仕切り用の壁パネルのみで家屋の強度計算をすることができ、設計時の強度計算の容易化が図れる。なお、床パネルを付けた後や屋根完成後に大部屋をパーテーションパネルで区画して実際の間取りを作ることができる。以上述べたように、床パネルを従来よりも大きく、しかも大部屋の形状に一致する設計寸法通りのものとし、その床パネルを利用して壁パネルの鉛直出しをするという斬新な方法により、これら効果が得られる。
【００１２】
また、請求項２の発明のように、室内全体空間を平面視して矩形に形成すると共に、室内全体空間を矩形の大部屋に二等分する位置に沿って間仕切り用の壁パネルを、その下の固定部材に釘付けすれば、家屋の施工期間のさらなる短縮と、家屋の強度計算のさらなる容易化を図ることができる。
【００１３】
請求項３の発明のように、床パネルの代わりに、小屋組を支える支持枠を用いた場合であっても、請求項１の発明と同様に壁パネルの鉛直出しに要する時間の大幅短縮、並びに家屋の強度計算の容易化を実現できる。
【発明を実施するための最良の形態】
【００１４】
本発明の枠組壁工法に用いる１階の間取りは次の通りである。まず、間取りを設計する際の前提となる家屋の外周形状を図３に示すように平面視、矩形に設計する。従って、外周用の壁パネル１は家屋外周形状に沿って矩形に配置される。そして、大まかな間取りとして、矩形の室内全体空間２を前後幅中間点で二等分して、二つの細長い矩形の大部屋３，３を設計する。前後の大部屋３，３は間仕切り用の壁パネル４で区画するものとする。なお、間仕切り用の壁パネル４によって大部屋３を区画するといっても、大部屋３，３同士を繋ぐ開口を確保しておく。次に、詳細な間取りとして、大部屋３をキッチン、ＬＤＫ、バス、洋室等の小部屋５に分けて設計する。小部屋５は図３中の二重鎖線で示すようにパーテーションパネル６で区画するものとする。また、２階についても大まかな間取りは１階と全く同じとする。
【００１５】
本発明の枠組壁工法用壁パネルの鉛直出し方法を家屋の構築手順を追って説明する。図１に示すようにコンクリートの基礎７の上には、壁パネル１，４を配置する箇所の真下に沿ってアンカーボルト８が間隔をあけて突出しているので、固定部材（土台となる横木）９をアンカーボルト８に固定して、全体として「日」字状に横木９を配置する。次に、多数枚の壁パネル１，４を横木９に沿って順次立てて載せ、壁パネル１，４の下部を横木９に釘付けする。壁パネル１，４は図５に示すように矩形の合板１０の片面に縦桟１１と横桟１２を縦横に組んで釘付けし補強したものである。そして、隣り合う壁パネル１，１、４，４同士の連結は外周用及び間仕切り用のいずれも次の通りである。各壁パネル１，４はその上部においては横桟１２の上に沿って頭継板１３を止めてあり、頭継板１３の一端部を合板１０の横幅寸法よりも外側に突出し、その分だけ頭継板１３の他端部を合板１０の横幅寸法よりも内側に配置して、隣の壁パネル１の頭継板１３の一端部を重ね合わせるスペース１４を確保してある。また、各壁パネル１，４はその左右側部においては、合板１０の一端部には縦桟１１の一部を外側に食み出して固定し、合板１０の他端部には縦桟を止めることなく、隣の壁パネル１、４の食み出した縦桟１１の一部を重ね合わせるスペース１５を確保してある。従って、隣り合う壁パネル同士は、隣の頭継板１３を釘付けしたり、隣の縦桟１１の一部に合板１０の側端部を釘付けしたりして連結する。
【００１６】
間仕切り用の壁パネル４と外周用の壁パネル１の連結も同様であり、図６に示すように間仕切り用の壁パネル４の上部においては頭継板１３の一端部を外周用の壁パネル１に向かって突出し、その突出分を重ね合わせるスペース１６を外周用の壁パネル１の上部においては形成してある。従って、外周用の壁パネル１の上側の横桟１２に間仕切り用壁パネル４の頭継板１３の一端部を載せて釘付けする。
【００１７】
釘付けした多数枚の壁パネル１，４は図１（ハ）に示すように、全体として平面視、「日」の字状となり、各々は起立しているが、筋交等で補強されていないことから、鉛直であるとは限らない。そこで、多数枚の壁パネル１，４を２回に分けて一挙に鉛直にするために、片方の大部屋３の四隅に相当する箇所（図中、黒塗りの三角印）を、鉛直に保持する。具体的には、糸先に分銅を付けたものを設計図通りの大部屋３の四隅に相当する箇所に垂らし、その糸に壁パネル１を作業者が沿わせることによって、四箇所について壁パネル１の鉛直が保持される。次に、図１（ニ）に示すように、床パネル１７をクレーンで引き上げ、床パネル１７の四隅を鉛直に保持した箇所に合わせて載せ、図１（ホ）に示すように床パネル１７をその周囲に沿って下側の壁パネル１，４の上部に釘付けする。次に、残りの大部屋３の四隅に相当する箇所についても同様に鉛直に保持し、別の床パネル１７で釘付けする。床パネル１７は平面視した各大部屋３の形状に一致する設計寸法通りで、矩形の床板１８の片面にその周囲に沿って縦材１９と横材２０を矩形枠に組んで釘付けすると共に、矩形枠の中に補強材２１を複数本架け渡して補強したものである。設計寸法通りの床パネル１７に合わせるので、全ての壁パネル１、４が鉛直となる。
【００１８】
次に、２階についても、図２（へ）に示すように床パネル１７の周囲に沿って同様に２階用の壁パネル１，４の下部を釘付けし、隣り合う壁パネル同士も釘付けで連結する。従って、床パネル１７が固定部材となる。なお、間仕切り用の壁パネル４は、隣接する床パネル１７，１７の境目を中心にして双方に跨る状態で釘付けする。そして、同様に大部屋３の四隅に相当する箇所（図中、黒塗りの三角印）を鉛直に保持し、図２（ト）に示すように、支持枠２２をクレーンで引き上げ、支持枠２２の四隅を鉛直に保持した箇所に合わせて載せ、同様に釘付けする。このようにすることによって、階上の壁パネル１，４が全て鉛直となる。支持枠２２は、床パネル１７から床板１８を除去した構造である。そして、設計寸法通りに組み上がった支持枠２２の上に垂木２３等の小屋組２４を構築する。屋根が完成した後にパーテーションパネルを所定位置に組み立てれば、設計図通りの間取りが完成する。なお、パーテーションパネルは家屋の強度計算外の部材である。
【００１９】
図４（イ）は、平面視した室内全体空間２を「Ｌ」字状に設計したものである。また、図４（ロ）は、平面視した室内全体空間２を「Ｔ」字状に設計したものである。このように平面視した室内全体空間２が縦横に交差する形状であっても、室内全体空間２を平面視矩形の複数の大部屋３に区画することによって、同様に施工できる。
【００２０】
上述した枠組壁工法用壁パネルの鉛直出し方法を利用することによって、屋根が完成するまでの期間が一挙に短縮する。
【００２１】
本発明は上記実施形態に限定されない。たとえば、２階以上に限らず、平屋にでも適用できる。
【図面の簡単な説明】
【００２２】
【図１】（イ）（ロ）（ハ）（ニ）（ホ）図は本発明の枠組壁工法用壁パネルの鉛直出し方法の前半部分を示す作業工程図である。
【図２】（ヘ）（ト）（チ）図は本発明の枠組壁工法用壁パネルの鉛直出し方法の後半部分を示す作業工程図である。
【図３】家屋の間取りを示す説明図である。
【図４】（イ）（ロ）図は室内全体空間の別例を示す説明図である。
【図５】（イ）（ロ）図は隣り合う壁パネルの連結構造を示す分解図、組立図である。
【図６】間仕切り用と外周用の壁パネルの連結構造を示す分解図、組立図である。
【図７】（イ）（ロ）（ハ）図は床パネル構築前における、従来の壁パネルの鉛直出し方法を説明する正面図、Ａ−Ａ線断面図、断面図からなる作業工程図である。
【図８】（イ）（ロ）図は小屋組前における、従来の壁パネルの鉛直出し方法を説明する作業工程図である。
【図９】従来の間取り図である。
【符号の説明】
【００２３】
１  外周用の壁パネル、  ２  室内全体空間、  ３  大部屋、  ４  間仕切り用の壁パネル、  ５  小部屋、  ６  パーテーションパネル、  ７  基礎、  ８  アンカーボルト、  ９  固定部材（横木）、  １０  合板、  １１  縦桟、  １２  横桟、  １３  頭継板、  １４〜１６  スペース、  １７  固定部材（床パネル）、  １８  床板、  １９  縦材、  ２０  横材、  ２１  補強材、  ２２  支持枠、  ２３  垂木、  ２４  小屋組
【図１】
2007132096.tif 000003
【図２】
2007132096.tif 000004
【図３】
2007132096.tif 000005
【図４】
2007132096.tif 000006
【図５】
2007132096.tif 000007
【図６】
2007132096.tif 000008
【図７】
2007132096.tif 000009
【図８】
2007132096.tif 000010
【図９】
2007132096.tif 000011